(57)【特許請求の範囲】
【請求項１】
車両室内及び室外の少なくとも一方に固定される車両オーナメント照明装置であって、
前記車両オーナメント照明装置は、第一のケース、前記第一のケースに組み込まれ面発光する灯体ユニット、前記灯体ユニットの発光面側に配置されロゴの表示部が表れた光透過性のロゴプレート、前記ロゴプレートと係合するように第一の係合部を有するアプリケーター、前記アプリケーターと一体化したロゴプレートを覆うように前記第一のケースに固定され、前記ロゴプレートが視認可能なように第一の開口部を有する第二のケースによって構成され、前記第一のケースと前記第二のケースによって挟持され、前記照明装置の長手方向の一端に設けた第二の開口部から前記アプリケーターと一体化したロゴプレートを長手方向にスライドさせて挿入または抜き出すことにより自由に入れ替え可能にし、且つ前記ロゴプレートと一体化した前記アプリケーターと前記第一のケース及び第二のケースの少なくとも一方と係合するように第二の係合部を設けて前記ロゴプレートを固定可能とすることを特徴とする車両用オーナメント装置。
【請求項２】
前記アプリケーターのスライド方向端部が前記ロゴプレートを覆う形状により、前記ロゴプレートの中をスライド方向に進行する光を遮光できることを特徴とする請求項１記載の車両用オーナメント装置。
【発明の詳細な説明】
【技術分野】
【０００１】
本発明は、自動車室内のウィンドーやインパネ、ドアライニング部に発光ユニットを取り付け、その間に挟まれたロゴプレートからの光を透過させ、文字や図形を表示するもので、照明の付加価値アップや自車の存在感の強調を図り、ファッション性を高める車両用オーナメント装置に関するものである。
【背景技術】
【０００２】
従来、光を透過させて文字や図形などを表示するものとして、車両用のフロアーマットないしフロアーカーペット等の敷物に装着して用いられる灯体ユニットであって、本体と、この本体に組み込まれその表面に発光面を有する発光部と、発光面の上面に配置され表示部を構成する透過型の表示体と、この表示体を覆うようにして、本体に着脱自在に設けられ表示体が視認可能となる透光性を有するカバーケースとを有し、そして、本体からカバーケースを取外して、表示体を所望する表示態様を備えたものと差し替えるだけで、表示体で表示される表示態様を簡単に変更することができるものが公知である。
【先行技術文献】
【特許文献】
【０００３】
【特許文献１】特開２０１０−１００１７５号公報
【発明の概要】
【発明が解決しようとする課題】
【０００４】
従来技術では、表示体は本体側とカバーケース側との間に挟まれて固定されるものであるが、交換するためにはケースカバー全体を外さなければならず、交換には手間がかかっていた。
【０００５】
そして、フロアーマットないしフロアーカーペット等の敷物ではなく、灯体ユニットを備えて自動車室内のウィンドーやインパネ、ドアライニング部に取り付けられ車外から視認されるような車両用オーナメント装置においては、光漏れが生じないように遮光する必要がある。
【０００６】
そこで、本発明の解決しようとする問題点は、表示部を簡単に取り付けでき、さらに車両走行時やドアの開閉などに伴う振動によって交換可能な表示体が位置ずれするおそれがない車両用オーナメント装置を提供する点である。また、本発明の解決しようとする問題点は、表示体まわりから光漏れが生じない車両用オーナメント装置を提供する点である。
【課題を解決するための手段】
【０００７】
請求項１の発明の車両用オーナメント装置は、車両室内及び室外の少なくとも一方に固定される車両オーナメント照明装置であって、前記車両オーナメント照明装置は、第一のケース、前記第一のケースに組み込まれ面発光する灯体ユニット、前記灯体ユニットの発光面側に配置されロゴの表示部が表れた光透過性のロゴプレート、前記ロゴプレートと係合するように第一の係合部を有するアプリケーター、前記アプリケーターと一体化したロゴプレートを覆うように前記第一のケースに固定され、前記ロゴプレートが視認可能なように第一の開口部を有する第二のケースによって構成され、前記第一のケースと前記第二のケースによって挟持され、前記照明装置の長手方向の一端に設けた第二の開口部から前記アプリケーターと一体化したロゴプレートを長手方向にスライドさせて挿入または抜き出すことにより自由に入れ替え可能にし、且つ前記ロゴプレートと一体化した前記アプリケーターと前記第一のケース及び第二のケースの少なくとも一方と係合するように第二の係合部を設けて前記ロゴプレートを固定可能とすることを特徴とする。
【０００８】
請求項２の発明は請求項１記載の車両用オーナメント装置において、前記アプリケーターのスライド方向端部が前記ロゴプレートを覆う形状により、前記ロゴプレートの中をスライド方向に進行する光を遮光できることを特徴とする。
【発明の効果】
【０００９】
請求項１の発明によれば、複数種のロゴプレートに対して一つのアプリケーターを選択
的に取り付け第一のケース側に挿入することで、ロゴプレートの交換を簡単に行うことが
出来、さらにロゴプレートとアプリケーターとを係合し、アプリケーターと第一のケース
及び第二のケースの少なくとも一方とを係合することにより、車両の各種振動などによってロゴプレートが位置ずれすることなく、取り付けすることができる。
【００１０】
請求項２の発明によれば、ロゴプレートにおけるアプリケーター側からの光漏れをなくして効果的に発光することができる。
【図面の簡単な説明】
【００１１】
【図１】本発明の実施例１を示す取り付け状態を示す斜視図である。
【図２】同全体斜視図である。
【図３】同分解斜視図である。
【図４】同要部の平断面図である。
【図５】同要部の縦断面図である。
【図６】同ロゴプレートの引き出し状態を示す一部切り欠き斜視図である。
【図７】同第二の係合部まわりの斜視図である。
【図８】同第二の係合受け部まわりの斜視図である。
【図９】同本発明の実施例２を示す平断面図である。
【発明を実施するための形態】
【００１２】
本発明における好適な実施の形態について、添付図面を参照して説明する。尚、以下に説明する実施の形態は、特許請求の範囲に記載された本発明の内容を限定するものではない。また、以下に説明される構成の全てが、本発明の必須要件であるとは限らない。
【実施例１】
【００１３】
図１乃至図８は実施例１を示しており、図１に示すように車両用オーナメント装置１は、車両であるワゴン車のリアウインドウガラス２の内側、すなわち車内側に装着されるもので、後述する表示部がリアウインドウガラス２を通して車外より視認できるようになっている。実施例の車両用オーナメント装置１はリアウインドウガラス２の周囲を覆う枠カバー３の下辺部３Ａの上方に、下辺部３Ａに沿うように横長に装着されている。
【００１４】
車両用オーナメント装置１は、枠カバー３側に固定され本体ケースを形成する第一のケース４の室外側、すなわち外側に順次、反射シート５、灯体ユニット６（例えば、ＰＣＢ  ＡＳＳＹを含む）、ロゴプレート７、さらに第一のケース４と周縁相互が爪部４Ａやタッピングスクリュー（図示せず）を介し接続してカバーケースを形成する第二のケース８が一体的に設けられており、この第二のケース８には室内側、すなわち内側と外側方向を貫通した横長窓孔状の第一の開口部９が形成されており、この第一の開口部９はリアウインドウガラス２の車内側に臨んでいる。さらに、第一のケース４及び第二のケース８間、または第一のケース４或いは第二のケース８においてロゴプレート７を出し入れするためのスライド方向10となる横長方向の一方である第一の側端面11に第二の開口部12が設けられている。第二の開口部12は、第一のケース４と第二のケース８間の中空部13側と連通する。そして実施例では第二の開口部12は第一のケース４及び第二のケース８間の接合部をそれぞれ切り欠いてが縦長に形成されている。
【００１５】
第一のケース４は合成樹脂製であって、図３に示すように外側に横長な第三の開口部14を設けると共に、下部には枠カバー３の下辺部３Ａに載置するための取り付け部15が形成されている。第一のケース４の中空部13に設けられた支持部16を介して第一の開口部９に対向するように第三の開口部14に配置される反射シート５は反射部５Ａを有している。そして、反射シート５の外側に設けられると共に、第一の開口部９に対向するように配置される灯体ユニット６は導光板17と、この導光板17に光を導入する光源18が配置されているもので、導光板17に例えばＬＥＤ（発光ダイオード）素子が配置されて光源18が設けられ、さらに光源18から射出された光は導光板17内に導入され、導光板17の外側向きの主面に対して光が導出されるようになっている。すなわち、光源18からの光は、導光板17、反射シート５により導光板17の外側面が面光源化されるようになっている。尚、光源18には基板が含まれ、配線19が接続されている。
【００１６】
ロゴプレート７は第一の開口部９に対向する光透過性合成樹脂板により形成されており、印刷或いは二色成形などにより文字（数字を含む）や図形などの表示部20である光非透過性或いは光半透過性のロゴが設けられている。尚、ロゴとしては「メ―カー名文字」「車名文字」「グレイド文字」或いは「社章」「初心者ドライバーマーク用図形」「高齢者ドライバーマーク用図形」など各種の表示がある。尚、このようなロゴプレート７は複数種類そろえておき、所望のものを取り付けるようになっている。
【００１７】
そして、ロゴプレート７のスライド方向、すなわち横向き長手方向の端部に、アプリケーター21を着脱自在に設ける。このアプリケーター21は、ロゴプレート７の継ぎ手となる光非透過性を有する合成樹脂製であって、ロゴプレート７を接続するための第一の係合部22を備えロゴプレート７の内側面との当接板部23と、この当接板部23の一側に一体に設けられて第二の開口部12に嵌合可能でロゴプレート７の出し入れ操作部となる摘み部24と、スライド方向10の一側端側面側にある摘み部24と一体に設けられアプリケーター21のスライド方向の端部が回り込んで覆いロゴプレート７の一側端面７Ａからの光経路25を遮断する光経路遮断部26とを備える。
【００１８】
ロゴプレート７の横向き方向の一側にはプレート延長部７Ｂが一体に設けられており、このプレート延長部７Ｂは第二のケース８の第二の開口部12側の一側の後側に設けられており、そして、当接板部23の外面の上下二か所に外側面にボスのような突起状の第一の係合部22が設けられると共に、プレート延長部７Ｂに上下二か所に内外方向を貫通したボス孔のような第一の係合受け部27が設けられており、第一の係合部22に第一の係合受け部27を係合することで、当接板部23にプレート延長部７Ｂを交換可能に接続できると共に、車両の走行時の振動などによりロゴプレート７と当接板部23との位置ずれを防ぐことができるようになっている。
【００１９】
摘み部24の後面には内側向き突起状の第二の係合部28が設けられており、この第二の係合部28の左右方向一側には指掛け部24Ａが溝或いは小突起によって形成されており、さらに第二の係合部28の上下には横方向の切り込み溝30が設けられて、第二の係合部28は片持ち弾片形状となっている。一方、第二の開口部12の後面には第二の係合部28が係合可能な第二の係合受け部29が凹状に形成されており、第二の係合受け部29に第二の係合部28が係合することで、摘み部24、ひいてはロゴプレート７が第二の開口部12より抜け止めできると共に、車両の走行時の振動などによりロゴプレート７と第一のケース４、第二のケース８との位置ずれを防ぐことができるようになっている。尚、第二の開口部12に差し込まれた摘み部24の指掛け部24Ａを指で引き出しやすくするため、第一の側端面11には指掛け部24Ａが常時あらわれるように凹部31が形成されている。
【００２０】
さらに、実施例ではアプリケーター21のスライド方向10にある第二の側端面32がロゴプレート７に回り込むように設けられる光経路遮断部26は、摘み部24の長手方向の一方である第二の側端面32から外側に突設してロゴプレート７の一側端面７Ａに対向して面接触或いは近接すると共に、外側端面26Ａを第二の開口部12の外側面12Ａに当接或いは近接する突片により形成されており、外側面12Ａは第二のケース８の内側面より段状となってやや外側に設けられている。
【００２１】
次に前記構成についてその作用を説明する。所望の表示部20があらわされたロゴプレート７の中空部13への取り付けは、第二の係合部28に第二の係合受け部29を係合させてロゴプレート７をアプリケーター21に位置ずれすることなく接続できる。そして、摘み部24を摘まんでロゴプレート７の左右方向の他方を第二の開口部12に差し込み、表示部20を導光板17の外側に配置すると共に第一の開口部９の内側に配置する。この差し込み直後において、第二の係合部28を第二の係合受け部29と係合することで、摘み部24、ひいてはロゴプレート７を、第一のケース４、第二のケース８に対して位置ずれすることなく固定することができる。
【００２２】
そして、車両イルミネーション用スイッチ（図示せず）を閉成することで給電がなされて光源18が点灯すると、その光は導光板17から外側向きの主面に対して光が導出されて面光源化し、ロゴプレート７を内側から外側に向けて照明することで、表示部20が外側より視認できるようになる。この際、光がロゴプレート７を通り抜けて端面より漏れてしまうおそれがあるが、端面には光経路遮断部26が対向して当接しているので、端面より光が漏れるようなことはないようになっている。
【００２３】
一方、ロゴプレート７を交換するためなどのときには、凹部31に指を入れて指掛け部24Ａに指を掛けて摘み部24を引き出す。この際、片持ち弾片形状の第二の係合部28は弾性変形して第二の係合受け部29との係合状態が解除される。そして、第一の係合部22と第一の係合受け部27との係合を解除することで、ロゴプレート７を摘み部24側と離すことができる。
【００２４】
以上のように、前記実施例では、照明装置の長手方向の側面に設けた第二の開口部12からアプリケーター21と一体化したロゴプレート７を長手方向にスライドさせて挿入または抜出すことにより、各種のロゴプレート７を一つのアプリケーター21でカートリッジ式に自由に入れ替え可能にできると共に、ロゴプレート７と係合するようにアプリケーター21に第一の係合部22を設けることで、ロゴプレート７とアプリケーター21との接続が車両の走行時の振動などが原因となって位置ずれすることはない。
【００２５】
さらに、アプリケーター21を第二の係合部28、第二の係合受け部29を介して第一のケース４を固定できるようにしたので、アプリケーター21、ひいてはロゴプレート７を車両の走行時の振動などで位置ずれすることを防止することができる。
【００２６】
また、アプリケーター21のスライド方向10端部にロゴプレート７に回り込む光経路遮断部26により、前記ロゴプレート７の中をスライド方向10に進行する光を遮光できるので、車両用オーナメント装置１からの光の漏れをなくすことができる。
【実施例２】
【００２７】
図９は実施例２を示しており、前記実施例１と同一部分には同一符号を付し、その詳細な説明を省略する。実施例２では、光経路遮断部26´はアプリケーター21のスライド方向端部がロゴプレート７に鉤形状に回り込むように、摘み部24の長手方向の一方である第二の側端面32から外側に突設してロゴプレート７の一側端面７Ａに対向して面接触或いは近接すると共に、外側端面を第二の開口部12の外側面に当接する突片の先端に光経路25と逆方向に屈曲部33を延長したものであり、アプリケーター21のスライド方向端部を包み込むようにして遮光したものである。
【００２８】
このような実施例２においても、実施例１と同様にロゴプレート７のカートリッジ式交換、ロゴプレート７とアプリケーター21、さらには第一のケース４との固定の他に、光経路遮断部26´による遮光を図ることができる。
【産業上の利用可能性】
【００２９】
以上のように本発明に係る車両用オーナメント装置は、各種の用途に適用できる。そして、実施例では車両用オーナメント装置は車両室内に固定したものを示したが、室外に固定してもよく、また実施例では第二の係合部はアプリケーターと第一のケースの間に介在したが、アプリケーターと第二のケースの間に介在してもよい。
【符号の説明】
【００３０】
１  オーナメント装置
４  第一のケース
６  灯体ユニット
７  ロゴプレート
８  第二のケース
９  第一の開口部
10  スライド方向
12  第二の開口部
21  アプリケーター
22  第一の係合部
26  光経路遮断部
28  第二の係合部
【図１】
0005277294.tif 000002
【図２】
0005277294.tif 000003
【図３】
0005277294.tif 000004
【図４】
0005277294.tif 000005
【図５】
0005277294.tif 000006
【図６】
0005277294.tif 000007
【図７】
0005277294.tif 000008
【図８】
0005277294.tif 000009
【図９】
0005277294.tif 000010